(57)【特許請求の範囲】
【請求項１】
所定のベース体（２３）上に上下方向移動可能に支持された可動体（２４）と、該可動体（２４）を所定の定常位置とそれよりも下方の作動位置との間で往復駆動する駆動手段（４４）とを備えた遊技機において、前記駆動手段（４４）の非作動時に前記可動体（２４）を前記定常位置で保持する保持手段（４５）を備え、該保持手段（４５）は、前記可動体（２４）側又は前記ベース体（２３）側に設けられた磁石（６１）と、該磁石（６１）に対応して前記ベース体（２３）側又は前記可動体（２４）側に設けられた磁性金属部材（６２）とで構成され、前記可動体（２４）が前記定常位置にあるときに前記磁性金属部材（６２）の所定の吸着面（６２ａ〜６２ｃ）が前記磁石（６１）に吸着するように構成されており、前記ベース体（２３）側又は前記可動体（２４）側に前記磁性金属部材（６２）を着脱自在に保持する磁性金属保持手段（６７）を設け、前記磁性金属部材（６２）は、面積の異なる複数種類の前記吸着面（６２ａ〜６２ｃ）を互いに異なる向きに備えており、前記磁性金属保持手段（６７）は、前記吸着面（６２ａ〜６２ｃ）を前記磁石（６１）側に向けた状態で前記磁性金属部材（６２）を保持する保持部（６８ａ〜６８ｃ）を、前記吸着面（６２ａ〜６２ｃ）の数に応じて複数種類備えていることにより、前記吸着面（６２ａ〜６２ｃ）の前記磁石（６１）に対する吸着面積を変更可能に構成されていることを特徴とする遊技機。
【発明の詳細な説明】
【技術分野】
【０００１】
本発明は、上下方向に移動可能な比較的大型の可動体を備えたパチンコ機、スロットマシン等の遊技機に関するものである。
【背景技術】
【０００２】
パチンコ機等の遊技機では、近年、大型の液晶表示手段を搭載したものが主流となっており、各社とも、その液晶表示手段に表示する演出画像等により他社製品との差別化を図ってきたが、液晶表示手段に表示するバーチャルな演出画像による差別化のみではもはや他社製品との差別化を十分に図ることが難しくなってきている。そこで、画像による演出に機械的な動作を組み合わせてより演出効果を高めようと、例えば液晶表示手段の近傍に可動体を設けたものが開発されている（特許文献１参照）。
【０００３】
また、この種の可動体は液晶画面と共に大型化する傾向にあるが、そのような大型の可動体を例えば上下方向に動作させる場合には、小型の駆動装置では十分な上昇力を得られない場合が多い。そこで、例えば特許文献１に記載された発明では、駆動装置による上昇力を補助するコイルバネを設けることにより、小型の駆動装置でも可動体を円滑に上昇させることができるとしている。
【特許文献１】特開２００６−２２３６５９号公報
【発明の開示】
【発明が解決しようとする課題】
【０００４】
特許文献１に記載された発明では、大型の可動体を小型の駆動装置で上昇させることはできるが、その上昇位置での保持状態は不完全であり、例えば長期使用によってバネ力が低下した場合や、遊技機に何らかの振動が与えられた場合には、可動体が上昇位置から下降したり上下に振動してしまう恐れがあった。
【０００５】
本発明は、上記事情に鑑みてなされたものであり、その目的とするところは、上下に移動可能な大型の可動体を、その上昇側の定常位置で確実に保持することが可能な遊技機を提供することにある。
【課題を解決するための手段】
【０００６】
本発明は、所定のベース体２３上に上下方向移動可能に支持された可動体２４と、該可動体２４を所定の定常位置とそれよりも下方の作動位置との間で往復駆動する駆動手段４４とを備えた遊技機において、前記駆動手段４４の非作動時に前記可動体２４を前記定常位置で保持する保持手段４５を備え、該保持手段４５は、前記可動体２４側又は前記ベース体２３側に設けられた磁石６１と、該磁石６１に対応して前記ベース体２３側又は前記可動体２４側に設けられた磁性金属部材６２とで構成され、前記可動体２４が前記定常位置にあるときに前記磁性金属部材６２の所定の吸着面６２ａ〜６２ｃが前記磁石６１に吸着するように構成されており、前記ベース体２３側又は前記可動体２４側に前記磁性金属部材６２を着脱自在に保持する磁性金属保持手段６７を設け、前記磁性金属部材６２は、面積の異なる複数種類の前記吸着面６２ａ〜６２ｃを互いに異なる向きに備えており、前記磁性金属保持手段６７は、前記吸着面６２ａ〜６２ｃを前記磁石６１側に向けた状態で前記磁性金属部材６２を保持する保持部６８ａ〜６８ｃを、前記吸着面６２ａ〜６２ｃの数に応じて複数種類備えていることにより、前記吸着面６２ａ〜６２ｃの前記磁石６１に対する吸着面積を変更可能に構成されているものである。
【発明の効果】
【０００７】
本発明によれば、上下に移動可能な大型の可動体２４を、多少の衝撃や振動が生じても定常位置で確実に保持することが可能である。
【発明を実施するための最良の形態】
【０００８】
以下、本発明の実施形態を図面に基づいて詳述する。図１〜図１１は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、共に前枠３に開閉自在に枢支されている。
【０００９】
前面板５の前側には発射用の遊技球を貯留するための上皿６が配置され、また前面板５の下側で前枠３の前側には余剰球等を貯留する下皿７が配置されている。下皿７の一側、例えば向かって右側には、遊技球を発射する発射手段８を操作するための発射ハンドル８ａが、前枠３の前側に突出状に設けられている。
【００１０】
１１は遊技盤で、ガラス扉４の後側に対応するように、前枠３の裏側に着脱自在に装着されている。遊技盤１１の前面側には、図２に示すように、発射手段８により発射された遊技球を遊技領域１２の上部側に案内する外レール１３と、遊技領域１２の周囲を規定する内レール１４とが装着されると共に、その遊技領域１２内の略中央にセンターケース１５が配置され、更にそのセンターケース１５の周辺部には、例えばそのセンターケース１５の左側に普通図柄始動手段１６が、下側に特別図柄始動手段１７及び大入賞手段１８が配置される他、普通入賞手段１９、風車２０等の各種遊技部品が配置されている。
【００１１】
センターケース１５は、図３，図４等に示すように、遊技盤１１に形成された装着孔に対して前側から着脱自在に装着される前構造体２１と、後側に液晶表示ユニット等の画像表示手段２２が装着され且つ前構造体２１に対応して遊技盤１１の裏側に着脱自在に装着される後構造体２３と、可動体２４を上下に動作させる可動演出手段２５とを備えている。
【００１２】
後構造体２３は、図４に示すように、前側が開放した略箱形に形成され且つその背壁２６に画像表示手段２２の表示画面２２ａに対応する矩形状の表示窓２７が形成された本体ケース２８と、この本体ケース２８の前縁側から遊技盤１１の背面に沿う鍔状に設けられた固定壁２９とを備え、本体ケース２８の背壁２６の後側に画像表示手段２２を装着した状態で、固定壁２９を遊技盤１１の背面側に固定することにより遊技盤１１に着脱自在に装着されている。なお、可動演出手段２５は本体ケース２８内の例えば表示窓２７の上側に配置されている。
【００１３】
前構造体２１は、図３等に示すように、後構造体２３側の表示窓２７を取り囲むように配置される略矩形状の表示枠３１と、この表示枠３１の左右に上下方向に配置される左装飾部３２及び右装飾部３３と、表示枠３１の上側で左装飾部３２と右装飾部３３の上端側を左右に接続する上装飾部３４と、表示枠３１の下側で左装飾部３２と右装飾部３３の下端側を左右に接続する下装飾部３５とを例えば一体に備え、外周側の鍔部３６を遊技盤１１の前面側に固定することにより遊技盤１１に着脱自在に装着されている。
【００１４】
上装飾部３４は、後構造体２３側の可動演出手段２５を前側から略覆うように設けられると共に、可動演出手段２５の可動体２４に対応する装飾窓３７が形成されており、可動演出手段２５のうち、可動体２４の部分のみがこの装飾窓３７を介して前側から視認可能となっている。
【００１５】
下装飾部３５は、その左右方向中央が左右両側よりも下がった略Ｖ型に形成され、その上縁側に沿ってステージ３８が左右方向に配置されている。ステージ３８は、例えば左装飾部３２側のワープ入球口３９に入球した遊技球を左右方向に自由に転動させた後に前側に落下させるためのもので、横長状に形成された複数の転動路が前後方向に段差状に配置されている。また、下装飾部３５には、ステージ３８上を転動した遊技球を前側に排出する球排出孔４０ａが左右方向中央に設けられると共に、その球排出孔４０ａの左右両側の上縁部に、球排出孔４０ａへの誘導経路を外れた遊技球を前側に落下させる球落下部４０ｂが設けられている。
【００１６】
可動演出手段２５は、図４〜図８等に示すように、後構造体（ベース体の一例）２３側の背壁２６の前面側に固定される固定部材４１と、この固定部材４１に対して前後方向の回転軸４２を介して揺動可能に支持された可動部材４３と、固定部材４１側に設けられ且つ可動部材４３を揺動駆動する駆動手段４４と、可動部材４３を定常位置で保持する保持手段４５と、可動部材４３に着脱自在に装着される可動装飾部材４６とを備え、可動装飾部材４６に可動体２４が例えば一体に設けられている。
【００１７】
固定部材４１は、平板状のベース板４１ａと、このベース板４１ａの前面側に網の目状に配設された補強リブ４１ｂとを一体に備え、ベース板４１ａの背面を後構造体２３側の背壁２６の前面側に沿わせた状態で、表示窓２７の上側の左右方向一端側、例えば左端側に配置されており、例えば左端側に回転軸４２が、右端側にガイド孔４７が、それら回転軸４２とガイド孔４７との中間部分に駆動手段４４が夫々配置されている。
【００１８】
回転軸４２は、固定部材４１から前向きに突設されており、その前端側に可動部材４３が軸受４８を介して回転自在に連結されている。ガイド孔４７は、可動部材４３及びこれと一体に揺動する可動装飾部材４６を所定の揺動範囲内で案内するもので、回転軸４２を中心とする円周方向の長孔状に形成されている。
【００１９】
駆動手段４４は、可動部材４３を揺動駆動することにより、この可動部材４３と共に揺動する可動体２４を定常位置（図３に実線で示す）とそれよりも下方の作動位置（図３に二点差線で示す）との間で昇降させるためのもので、例えばステッピングモータにより構成されており、駆動軸４４ａを固定部材４１の前側に突出させた状態で例えば固定部材４１の裏側に着脱自在に固定され、駆動軸４４ａの前端側に駆動ギア４９が固定されている。
【００２０】
また、固定部材４１の前面側には、回転軸４２の周辺部に、可動部材４３側の被検出部５０を検出する検出スイッチ５１が設けられている。検出スイッチ５１は、例えば可動部材４３が定常位置にきたときに可動部材４３側の被検出部５０を検出するように設けられており、駆動制御手段７１（図５）が、この検出スイッチ５１からの検出信号に基づいて駆動手段４４を駆動制御するようになっている。
【００２１】
可動部材４３は、平板状のベース板４３ａと、このベース板４３ａの前後両面側に突設するように網の目状に配設された補強リブ４３ｂと、この補強リブ４３ｂに沿って配置される複数の嵌合孔４３ｃと、被検出部５０とを一体に備え、回転軸４２を中心とする略扇形状に形成されている。可動部材４３は、扇形の中心側端部に軸受４８を介して回転軸４２が回転自在に連結され、円周側端部近傍に、駆動ギア４９が噛合する被駆動ギア５２が、回転軸４２を中心とする周方向に配設されている。これにより、可動部材４３は、駆動手段４４が反時計方向に動作したときに回転軸４２を中心に下向きに揺動し、駆動手段４４が時計方向に動作したときに回転軸４２を中心に上向きに揺動する。
【００２２】
また、被検出部５０は、可動部材４３が定常位置にきたときに固定部材４１側の検出スイッチ５１に検出されるように、可動部材４３の外周側から回転軸４２の半径方向外向きに突設されている。
【００２３】
可動装飾部材４６は、前後方向に偏平で且つ左右方向に長く形成されており、その左端側に設けられ且つ可動部材４３に固定するための固定部５３と、右端側に設けられた可動体２４と、それら固定部５３と可動体２４とを接続するアーム部５４と、ガイド孔４７に嵌合するガイドピン５５とを例えば一体に備えている。
【００２４】
固定部５３は、可動部材４３の前側を覆う前板部５６と、この前板部５６の外縁部から後ろ向きに突設され且つ可動部材４３の外側に嵌合する周壁部５７と、可動部材４３側の嵌合孔４３ｃに対応して前板部５６から後ろ向きに突設される固定基部５８とを一体に備え、固定基部５８を嵌合孔４３ｃに嵌合させつつ可動部材４３に対して前側から被せるように装着され、可動部材４３の後側から嵌合孔４３ｃを介して固定基部５８にねじ止めすることにより可動部材４３に固定されている。
【００２５】
可動体２４は、例えば動物等をモチーフにした造形物で、本実施形態ではイルカの形状に形成されており、アーム部５４により固定部５３に固定的に連結されている。そして、可動体２４は、駆動手段４４の駆動により、装飾窓３７内の定常位置と、表示画面２２ａの前側の作動位置との間で上下方向に往復移動するようになっている。なお、ガイド孔４７内を修道するガイドピン５５は例えばアーム部５４の背面側に突設されており、図５に示すようにガイド孔４７の上端部が可動体２４の定常位置に対応し、図８に示すようにガイド孔４７の下端部が可動体２４の作動位置に対応している。
【００２６】
保持手段４５は、図９等に示すように、可動部材４３側に配置される磁石６１と、固定部材４１側に配置される磁性金属部材６２とで構成されている。磁石６１は、例えば互いに平行な一対の吸着片６３及び固定片６４と、それら吸着片６３と固定片６４とを中央で接続する接続部６５とを一体に備えた正面視Ｈ形に形成されており、吸着片６３を可動部材４３の外周側に突出させた状態で、固定片６４を可動部材４３側の磁石固定部６６に嵌合、固定することにより可動部材４３の上縁側に着脱自在に装着されている。
【００２７】
磁性金属部材６２は、ステンレス鋼等の強磁性の金属板を複数箇所（ここでは二箇所）で折り曲げることにより、面積の異なる複数（ここでは三つ）の平板部が直角に連なった略Ｊ形に形成されており、固定部材４１側に設けられた磁性金属保持手段６７に対して着脱自在に装着されている。なお、磁性金属部材６２の三つの平板部の外面側が夫々磁石６１に対する第１〜第３吸着面６２ａ〜６２ｃとなっており、その面積は第１吸着面６２ａが最も大きく、第３吸着面６２ｃが最も小さくなっている。
【００２８】
磁性金属保持手段６７は、可動体２４が定常位置にあるときの磁石６１の位置に対応して固定部材４１側に配置されており、磁性金属部材６２が嵌合可能な保持溝６８を備えた保持ケース６９と、磁性金属部材６２を保持溝６８内に保持するように保持ケース６９に着脱自在に装着されるワッシャ付きねじ等よりなる抜け止め部材７０とを備えている。
【００２９】
保持溝６８は、第１吸着面６２ａが磁石６１に対向するように磁性金属部材６２を保持する第１保持溝６８ａと、第２吸着面６２ｂが磁石６１に対向するように磁性金属部材６２を保持する第２保持溝６８ｂと、第３吸着面６２ｃが磁石６１に対向するように磁性金属部材６２を保持する第３保持溝６８ｃの三種類の保持溝（保持部）６８ａ〜６８ｃが組み合わされて構成されており、可動体２４が定常位置にあるとき、第１〜第３吸着面６２ａ〜６２ｃの何れかが磁石６１に吸着することにより、可動部材４３及びこれと一体に動作する可動体２４が定常位置に保持されるようになっている。
【００３０】
以上のような構成の可動演出手段２５の駆動制御について簡単に説明する。通常時には、可動体２４は定常位置にあり、可動部材４３側の磁石６１が、固定部材４１側の磁性金属部材６２の第１〜第３吸着面６２ａ〜６２ｃの何れかに吸着することによりその状態が保持されている。
【００３１】
主制御手段７２から駆動制御手段７１に対して可動体２４の動作指令が出力されると、駆動制御手段７１は、所定の動作パターンに従って駆動手段４４の駆動制御を開始する。この動作パターンは、図１１に示すように、動作方向（下降、休止、上昇等）とそれに対応する駆動速度（例えば１ステップ当たりの時間）を時間列に並べたデータにより予め設定されている。
【００３２】
ここで、どの動作パターンもまず下降動作から始まるが、この定常位置からの下降動作では、駆動手段４４は保持手段４５による保持力、即ち磁石６１の磁性金属部材６２に対する吸着力に抗して可動部材４３を駆動する必要があるため、駆動制御手段７１は、例えば最初の所定ステップ（例えば３０ステップ）については駆動手段４４を通常よりも低速度（例えば１ステップ当たり１６ｍｓ）で作動させ、それによって磁石６１が磁性金属部材６２から離れた後に増速（例えば１ステップ当たり８ｍｓ）させるようになっている。これにより、保持手段４５による抵抗の急変による振動動作等を抑制して可動体２４をよりスムーズに駆動することが可能となる。
【００３３】
また、本実施形態では、磁性金属部材６２の第１〜第３吸着面６２ａ〜６２ｃの面積が全て異なるため、図１０（Ａ）〜（Ｃ）に示すように磁性金属部材６２を第１〜第３保持溝６８ａ〜６８ｃの何れに装着するか、即ち第１〜第３吸着面６２ａ〜６２ｃの何れを磁石６１に対向させるかによって保持手段４５による保持力を変化させることができ、一定の保持力を確保しつつ下降開始動作がよりスムーズとなるように、保持手段４５による保持力を容易に調整することが可能である。
【００３４】
下降、休止等を経て可動体２４を上昇させる際には、駆動制御手段７１は、下降動作の合計ステップ数＋αのステップ数だけ駆動手段４４を上昇側に作動させる。この＋αは、理論上のステップ数と、検出スイッチ５１が被検出部５０を検出するまでの実際のステップ数との誤差に対応するもので、駆動制御手段７１は、その上昇駆動中に検出スイッチ５１からの検出信号を受信した時点で駆動手段４４の駆動動作を停止させる。このとき、可動体２４は定常位置に戻り、再び保持手段４５によりその定常位置で保持される。
【００３５】
以上説明したように、本発明のパチンコ機は、駆動手段４４の非作動時に可動体２４を定常位置で保持する保持手段４５を備え、この保持手段４５は、可動体２４側に設けられた磁石６１と、この磁石６１に対応して後構造体２３側に設けられた磁性金属部材６２とで構成され、可動体２４が定常位置にあるときに磁性金属部材６２の吸着面６２ａ〜６２ｃのうちの何れかが磁石６１に吸着するように構成されているため、上下に移動可能な大型の可動体２４を、多少の衝撃や振動が生じても定常位置で確実に保持することが可能である。
【００３６】
また、後構造体２３側に磁性金属部材６２を着脱自在に保持する磁性金属保持手段６７を設け、磁性金属部材６２は、面積の異なる複数種類の第１〜第３吸着面６２ａ〜６２ｃを互いに異なる向きに備えており、磁性金属保持手段６７は、第１〜第３吸着面６２ａ〜６２ｃを磁石６１側に向けた状態で磁性金属部材６２を保持する第１〜第３保持溝６８ａ〜６８ｃを、第１〜第３吸着面６２ａ〜６２ｃの数に応じて複数種類備えているため、一定の保持力を確保しつつ下降開始動作がよりスムーズとなるように、保持手段４５による保持力を容易に調整することが可能である。
【００３７】
図１２は本発明の第２の実施形態を例示し、磁性金属保持手段６７が磁性金属部材６２を回転自在に保持するように構成した例を示している。
【００３８】
本実施形態の磁性金属部材６２は、第１の実施形態と同様、互いに面積の異なる第１〜第３吸着面６２ａ〜６２ｃが直角に連なった略Ｊ形に形成され、更にそれら第１〜第３吸着面６２ａ〜６２ｃから等距離の位置に設けられた回転軸７３を中心に回転自在に保持されている。即ち、第１〜第３吸着面６２ａ〜６２ｃは、回転軸７３を中心とする周上に互いに異なる向きに配置されている。なお、回転軸７３は、例えば第３吸着面６２ｃの端部から延設された平板上に設けられている。
【００３９】
以上のような構成とすることで、磁性金属部材６２を着脱することなく回転軸７３廻りに回転させるだけで、磁石６１に対向する吸着面を変更することができる。
【００４０】
以上、本発明の実施形態について詳述したが、本発明はこれらの実施形態に限定されるものではなく、本発明の趣旨を逸脱しない範囲で種々の変更が可能である。例えば、磁石６１と磁性金属部材６２とは、何れか一方を後構造体２３等の固定側に、他方を可動体２４又はそれと一体に動作する可動側に設ければよい。
【００４１】
可動体２４は、上下方向に移動可能であればよく、実施形態のように中心軸廻りに揺動するものに限らず、例えば上下方向にスライド移動するものでもよい。
【００４２】
磁性金属部材６２は、異なる面積の吸着面を異なる向きに備えていればよく、各吸着面のなす角度等は任意であって、例えば９０度よりも浅い角度で複数の吸着面を連結してもよい。
【００４３】
また、吸着面の磁石６１に対する吸着面積を変更可能とする構成としては、実施形態のように複数の吸着面６２ａ〜６２ｃのうちの一つを選択するものの他、例えば吸着面を一つ備えた磁性金属部材６２を磁石６１に沿ってスライド可能に設け、その吸着面と磁石６１との重なり部分の面積を変更可能に構成してもよい。
【００４４】
また本発明は、パチンコ機に限らず、アレンジボール機、雀球遊技機等の各種弾球遊技機やスロットマシン等の各種遊技機において同様に実施することが可能である。
【図面の簡単な説明】
【００４５】
【図１】本発明の第１の実施形態を示すパチンコ機の全体正面図である。
【図２】遊技盤の正面図である。
【図３】センターケースの正面図である。
【図４】センターケースを構成する後構造体の正面図である。
【図５】可動演出手段の定常位置での正面図である。
【図６】可動演出手段の平面断面図である。
【図７】可動演出手段の分解斜視図である。
【図８】可動演出手段の作動位置での正面図である。
【図９】保持手段及びその周辺部の分解斜視図である。
【図１０】磁性金属部材の装着パターンを示す説明図である。
【図１１】可動演出手段の動作パターンを示す図である。
【図１２】本発明の第２の実施形態を示す磁性金属部材の配置パターンを示す説明図である。
【符号の説明】
【００４６】
２３  後構造体（ベース体）
２４  可動体
４４  駆動手段
４５  保持手段
６１  磁石
６２  磁性金属部材
６２ａ〜６２ｃ  第１〜第３吸着面
６７  磁性金属保持手段
６８ａ〜６８ｃ  第１〜第３保持溝
７３  回転軸
【図１】
0004704411.tif 000002
【図２】
0004704411.tif 000003
【図３】
0004704411.tif 000004
【図４】
0004704411.tif 000005
【図５】
0004704411.tif 000006
【図６】
0004704411.tif 000007
【図７】
0004704411.tif 000008
【図８】
0004704411.tif 000009
【図９】
0004704411.tif 000010
【図１０】
0004704411.tif 000011
【図１１】
0004704411.tif 000012
【図１２】
0004704411.tif 000013